(57)【要約】【課題】２０〜３０名程度の小オフィス用または一般家庭用に適した小型コンパクトで、好きなときにすぐに美味しく飲め、後片付けの簡単な使い勝手のよい飲料抽出機を提供する。【解決手段】液体を収納し底部に出水孔７を形成した容器１と、この容器１内の液体を加熱する加熱手段２と、容器１の上部を覆う蓋１３と、出水孔７より容器２内の液体を送り出すダイヤフラム式の液体ポンプを用いた送水装置１７と、この送水装置１７より送り出された液体により抽出される飲料パック２０を設置する飲料固定部１８とを備えている。【選択図】図１
2008178724.tif 000002
【特許請求の範囲】
【請求項１】
液体を収納し底部に出水孔を形成した容器と、この容器内の液体を加熱する加熱手段と、前記容器の上部を覆う蓋と、すりこぎ運動でダイヤフラムを膨張圧縮運動させることにより、前記出水孔より前記容器内の液体を送り出すダイヤフラム式の液体ポンプを用いた送水装置と、この送水装置より送り出された液体により抽出される飲料パックまたは飲料粉末を設置する飲料固定部と、空気を前記飲料パックまたは前記飲料粉末に圧送する空気ポンプからなる送気装置とを備え、
前記送水装置は前記飲料固定部に供給するためのインジェクタを先端に有し、前記液体ポンプと前記インジェクタとの間に、前記液体ポンプの吐出圧力が一定以上になると液体を前記容器内に逃す圧力弁を介在し、前記送気装置の吐出部を前記液体ポンプと前記インジェクタとの間に逆止弁を介して接続した飲料抽出機。
【請求項２】
液体を収納し底部に出水孔を形成した容器と、この容器内の液体を加熱する加熱手段と、前記容器の上部を覆う蓋と、前記容器内に配置して前記加熱手段および前記出水孔のある側とない側とに仕切るものであって頂部に排泡弁を有する仕切り板と、すりこぎ運動でダイヤフラムを膨張圧縮運動させることにより、前記出水孔より前記容器内の液体を送り出すダイヤフラム式の液体ポンプを用いた送水装置と、この送水装置より送り出された液体により抽出される飲料パックまたは飲料粉末を設置する飲料固定部と、空気を前記飲料パックまたは前記飲料粉末に圧送する空気ポンプからなる送気装置とを備え、
前記送水装置は前記飲料固定部に供給するためのインジェクタを先端に有し、前記液体ポンプと前記インジェクタとの間に、前記液体ポンプの吐出圧力が一定以上になると液体を前記容器内に逃す圧力弁を介在し、前記送気装置の吐出部を前記液体ポンプと前記インジェクタとの間に逆止弁を介して接続した飲料抽出機。
【請求項３】
液体ポンプのダイヤフラムおよびその吸入・吐出弁の少なくともいずれかは水素化ニトリルゴム製である請求項１または請求項２記載の飲料抽出機。
【請求項４】
出水孔をメッシュのあるフィルタで覆い、フィルタのメッシュの開口面積の大きさを液体ポンプの流水経路の最小径よりも小さくした請求項１または請求項２記載の飲料抽出機。
【請求項５】
液体ポンプはダイヤフラムの水漏れシールを有する請求項１または請求項２記載の飲料抽出機。
【請求項６】
液体ポンプは吐出筒部を有し、前記液体ポンプの吐出弁は前記吐出筒部の内周面に弾性的に密接する筒状をなし、前記吐出筒部に前記吐出弁を介して前記吐出筒部内とダイヤフラム内とを連通する連通部を形成し、この連通部を前記ダイヤフラムの数に応じて複数設け、前記筒状の前記吐出弁に前記連通部ごとに区切る割りスリットを形成した請求項１または請求項２記載の飲料抽出機。
【発明の詳細な説明】
【技術分野】
【０００１】
本発明は、コーヒー、紅茶などの飲料を美味しく抽出できる飲料抽出機に関し、特に２０〜３０名程度の小オフィス用または一般家庭用に適した小型コンパクトな飲料用抽出機に関するものである。
【背景技術】
【０００２】
従来より小オフィス用の飲料抽出機として、いわゆる大型タイプのコーヒーメーカ等が使用されていたが、抽出後にコーヒーが煮詰まったり、コーヒーの粉を毎回セットしたり、後片付けがやっかいであるなど好ましいものではなかった。
【０００３】
このため、コーヒー等の粉などを入れたパックをセットし好きなときに美味しく飲める飲料抽出機が開発された。
【０００４】
図５は飲料パックの一例を示し、シート３５０により形成されて周囲がシールされた概ね平坦な可撓性のある袋状であって、上部に湯の導入および位置決めのためのフランジつきノズル３５１を有し、内部にフィルタ材３５２が保持され、下部に剥離可能なシール部３５３を有するものである。シール部３５３は感圧シールまたは感熱シールからなり、圧力または熱を受けると接着力が弱くなり液体や気体の圧力でシール部３５３を剥離でき、コーヒー等を取り出すことができる。３５４はフィルタ材３５２内に保持されたコーヒー等の粉末である。
【０００５】
図６はこの飲料パックに湯を注入する飲料抽出機の湯の流通経路を示している。３００は水を入れる容器、３０１は電磁弁３０２を介して接続した加熱容器であり、底部に加熱手段３０３を設けている。３０８はチューブポンプであり、吸入口は加熱容器３０１の湯を吸入する湯吸入パイプ３０４と、空気を吸入する吸入パイプ３０５とを電磁弁３０６を介して接続している。またチューブポンプ３０８の吐出口は飲料パック３１０のノズルを突き破る射出部に接続している。一方、加熱容器３０１にファン３０９を設け、ファン３０９により送風される蒸気を飲料パック３１０の剥離用のシール部３５３に当てる加熱パイプ３１１を設けている。
【０００６】
チューブポンプ３０８は例えば図７に示すように、モータの軸３１５に連結されたロータ３１６と、このロータ３１６とロータ３１６を囲むケーシング３１９の間の溝３２０内に沿って略Ｕ字形に配置されたチューブ３１７とを有し、チューブ３１７の一端が吸入口となり、他端が吐出口となる。またロータ３１６には周面の複数の箇所にローラ３１８が設けられ、チューブ３１７の内周側を外周側のケーシング３１９に向けて押圧している。図（ａ）から図（ｂ）は矢印の方向にロータ３１６が約１８０度回転した状態である。このようにロータ３１６が回転することによりローラ３１８が回動し、ローラ３１８によってチューブ３１７の内周側を押圧しながら回動することにより、チューブ３１７の内部の気体または液体が回動方向に圧送されポンプ動作が得られる。
【０００７】
飲料抽出機の動作について説明すると、ボタン操作により電動で射出口が飲料パック３１０のノズル３１０ａ（図６参照）を突き破り、飲料パック３１０内に進入する。これと同時にファン３０９により蒸気が加熱パイプ３１１を通って飲料パック３１０のシール部３５３（図５参照）に当たりこれを加熱し、シール部３５３が容易に剥がれる状態にする。つぎに電磁弁３０６が閉じ、チューブポンプ３０８が作動し、加熱容器３０１の湯が射出口を通って飲料パック３１０に供給され、コーヒーが抽出されるとともに湯の圧力および自重で飲料パック３１０のシール部３５３が剥がれ開いて飲料パック３１０の下に配置されたコップにコーヒーが注ぎ込まれる。所定量の湯が飲料パック３１０に供給されると電磁弁３０６が開き、吸入パイプ３０５より空気がチューブポンプ３０８により飲料パック３１０に送られ、空気の圧力で飲料パック３１０内に残ったコーヒーをコップに押し出し、しずくがたれない状態になるまで供給される。
【０００８】
この従来の飲料抽出機において、チューブポンプ３０８を使用した理由は、お湯を押し出すために一定の圧力が必要であり、かつ水垢に対して耐久性があるためであった。
【特許文献１】特開平１１−１７８７１７号公報
【特許文献２】特開平０４−３６４８１９号公報
【特許文献３】実公昭６３−０４０１８７号公報
【特許文献４】特開平０７−３１３３６８号公報
【特許文献５】特開平１０−０９９２０３号公報
【特許文献６】実願昭４７−０６２５７４号（実開昭４９−０２１４０５号）のマイクロフィルム
【特許文献７】特開平０９−１９５９５３号公報
【発明の開示】
【発明が解決しようとする課題】
【０００９】
しかし、チューブポンプは上記のように構成上水垢に対しては優れた性能を有するが、大きいトルクを必要とするため小型化が困難であり、小型コンパクトな飲料抽出機には適さなかった。
【００１０】
そのため、上述した従来の大型の飲料抽出機は、大きくて場所をとり、小型のオフィスには適さないのみならず、水を注入してから抽出するまで約３０分以上かかり使い勝手が悪いなどの問題があった。
【００１１】
本発明は、このような従来の課題を解決するものであり、２０〜３０名程度の小オフィス用または一般家庭用に適した小型コンパクトで、好きなときにすぐに美味しく飲め、後片付けの簡単な使い勝手のよい飲料抽出機を提供することを目的としている。
【課題を解決するための手段】
【００１２】
請求項１記載の飲料抽出機は、液体を収納し底部に出水孔を形成した容器と、この容器内の液体を加熱する加熱手段と、容器の上部を覆う蓋と、すりこぎ運動でダイヤフラムを膨張圧縮運動させることにより、出水孔より容器内の液体を送り出すダイヤフラム式の液体ポンプを用いた送水装置と、この送水装置より送り出された液体により抽出される飲料パックまたは飲料粉末を設置する飲料固定部と、空気を飲料パックまたは飲料粉末に圧送する空気ポンプからなる送気装置とを備え、送水装置は飲料固定部に供給するためのインジェクタを先端に有し、液体ポンプとインジェクタとの間に、液体ポンプの吐出圧力が一定以上になると液体を容器内に逃す圧力弁を介在し、送気装置の吐出部を液体ポンプとインジェクタとの間に逆止弁を介して接続したものである。
【００１３】
請求項１記載の飲料抽出機によれば、送水装置にすりこぎ運動でダイヤフラムを膨張圧縮運動させるダイヤフラム式の液体ポンプを用いたので、例えば従来の約１／４程度に小型コンパクトにでき、しかも抽出精度や抽出圧力に優れる。したがって、２０〜３０名程度の小オフィス用または一般家庭用に適した小型コンパクトにすることが可能となり、そのため好きなときにすぐに美味しく飲め、後片付けの簡単な使い勝手のよい飲料抽出機を提供することができる。
【００１４】
また、異常時の圧力を容器内に抜くようにしているため他の構成部品やユーザーに悪影響を与えることなく安全性を確保することができるとともに、エネルギーロスがない。
【００１５】
さらに、送気装置を備えているため、飲料パックにより抽出したあと送水装置に連動して、パック内の残湯を絞り出すことが可能になり、後の手入れが大変楽になる。またコーヒー、紅茶のようにお湯でパックを開封することが可能なものは液体ポンプで抽出可能であるが、ココアのようにお湯で抽出する場合は危険である時等は空気ポンプを使用することにより空気で開封することができ、安全性を確保することができる。
【００１６】
さらにまた、液体ポンプからお湯を送り出すときに誤って空気ポンプに侵入するのを防止でき安全性が確保できる。
【００１７】
請求項２記載の飲料抽出機は、液体を収納し底部に出水孔を形成した容器と、この容器内の液体を加熱する加熱手段と、容器の上部を覆う蓋と、容器内に配置して加熱手段および出水孔のある側とない側とに仕切るものであって頂部に排泡弁を有する仕切り板と、すりこぎ運動でダイヤフラムを膨張圧縮運動させることにより、出水孔より容器内の液体を送り出すダイヤフラム式の液体ポンプを用いた送水装置と、この送水装置より送り出された液体により抽出される飲料パックまたは飲料粉末を設置する飲料固定部と、空気を飲料パックまたは飲料粉末に圧送する空気ポンプからなる送気装置とを備え、送水装置は飲料固定部に供給するためのインジェクタを先端に有し、液体ポンプとインジェクタとの間に、液体ポンプの吐出圧力が一定以上になると液体を容器内に逃す圧力弁を介在し、送気装置の吐出部を液体ポンプとインジェクタとの間に逆止弁を介して接続したものである。
【００１８】
請求項２記載の飲料抽出機によれば、請求項１と同様な効果のほか、仕切り板内部が略密閉されることにより、仕切り板の内側の液体のみを集中して加熱することができるため容器に給水しても直ぐにお湯が得られ抽出可能になる。
【００１９】
請求項３記載の飲料抽出機は、請求項１または請求項２において、液体ポンプのダイヤフラムおよびその吸入・吐出弁の少なくともいずれかは水素化ニトリルゴム製であるものである。
【００２０】
請求項３記載の飲料抽出機によれば、請求項１または請求項２と同様な効果のほか、吸入・吐出弁に用いる例えばアンブレラ弁やダイヤフラムに対して水素化ニトリルゴムを用いることにより、今までお湯に対して使用不可であったダイヤフラム式の液体ポンプを飲料抽出機の液体ポンプとして使用可能となった。
【００２１】
請求項４記載の飲料抽出機は、請求項１または請求項２において、出水孔をメッシュのあるフィルタで覆い、フィルタのメッシュの開口面積の大きさを液体ポンプの流水経路の最小径よりも小さくしたものである。
【００２２】
請求項４記載の飲料抽出機によれば、請求項１または請求項２と同様な効果のほか、容器内部に形成した水垢が液体ポンプに侵入するのを防止することができる。
【００２３】
請求項５記載の飲料抽出機は、請求項１または請求項２において、液体ポンプがダイヤフラムの水漏れシールを有するものである。
【００２４】
請求項５記載の飲料抽出機によれば、請求項１または請求項２と同様な効果のほか、液体ポンプのダイヤフラムに水漏れシールにより水漏れ防止が確実になる。
【００２５】
請求項６記載の飲料抽出機は、請求項１または請求項２において、液体ポンプが吐出筒部を有し、液体ポンプの吐出弁は吐出筒部の内周面に弾性的に密接する筒状をなし、吐出筒部に吐出弁を介して吐出筒部内とダイヤフラム内とを連通する連通部を形成し、この連通部をダイヤフラムの数に応じて複数設け、筒状の吐出弁に連通部ごとに区切る割りスリットを形成したものである。
【００２６】
請求項６記載の飲料抽出機によれば、請求項１または請求項２と同様な効果のほか、複数のダイヤフラムが個別に圧縮膨張しても吐出弁が個別に設けられているため他のダイヤフラムの動作に悪影響を与えることなく吐出できる。
【発明の効果】
【００２７】
請求項１記載の飲料抽出機によれば、送水装置にすりこぎ運動でダイヤフラムを膨張圧縮運動させるダイヤフラム式の液体ポンプを用いたので、例えば従来の約１／４程度に小型コンパクトにでき、しかも抽出精度や抽出圧力に優れる。したがって、２０〜３０名程度の小オフィス用または一般家庭用に適した小型コンパクトにすることが可能となり、そのため好きなときにすぐに美味しく飲め、後片付けの簡単な使い勝手のよい飲料抽出機を提供することができる。
【００２８】
また、異常時の圧力を容器内に抜くようにしているため他の構成部品やユーザーに悪影響を与えることなく安全性を確保することができるとともに、エネルギーロスがない。
【００２９】
さらに、送気装置を備えているため、飲料パックにより抽出したあと送水装置に連動して、パック内の残湯を絞り出すことが可能になり、後の手入れが大変楽になる。またコーヒー、紅茶のようにお湯でパックを開封することが可能なものは液体ポンプで抽出可能であるが、ココアのようにお湯で抽出する場合は危険である時等は空気ポンプを使用することにより空気で開封することができ、安全性を確保することができる。
【００３０】
さらにまた、液体ポンプからお湯を送り出すときに誤って空気ポンプに侵入するのを防止でき安全性が確保できる。
【００３１】
請求項２記載の飲料抽出機によれば、請求項１と同様な効果のほか、仕切り板内部が略密閉されることにより、仕切り板の内側の液体のみを集中して加熱することができるため容器に給水しても直ぐにお湯が得られ抽出可能になる。
【００３２】
請求項３記載の飲料抽出機によれば、請求項１または請求項２と同様な効果のほか、吸入・吐出弁に用いる例えばアンブレラ弁やダイヤフラムに対して水素化ニトリルゴムを用いることにより、今までお湯に対して使用不可であったダイヤフラム式の液体ポンプを飲料抽出機の液体ポンプとして使用可能となった。
【００３３】
請求項４記載の飲料抽出機によれば、請求項１または請求項２と同様な効果のほか、容器内部に形成した水垢が液体ポンプに侵入するのを防止することができる。
【００３４】
請求項５記載の飲料抽出機によれば、請求項１または請求項２と同様な効果のほか、液体ポンプのダイヤフラムに水漏れシールにより水漏れ防止が確実になる。
【００３５】
請求項６記載の飲料抽出機によれば、請求項１または請求項２と同様な効果のほか、複数のダイヤフラムが個別に圧縮膨張しても吐出弁が個別に設けられているため他のダイヤフラムの動作に悪影響を与えることなく吐出できる。
【発明を実施するための最良の形態】
【００３６】
この発明の一実施の形態を図１から図４により説明する。すなわち、図１において、この飲料抽出機の本体１は筒状であり、内部に容器２を設け、底部に制御回路の制御基板３を設け、一側上部に制御回路の操作基板４を設け、操作基板４に隣接してパック穴明け兼用のスタートボタン５を設けている。
【００３７】
容器２は、例えば水等の液体を収納し底部に出水孔７を形成している。実施の形態の出水孔７は後述の仕切り板１４の頂部に接近するため容器２の底部より高くしている。８は水位ゲージ、９は給水の必要を知らせるための給水センサである。
【００３８】
加熱手段１０は、容器１内の液体を加熱するもので、容器２の底部に設けられている。実施の形態は電熱ヒータであり、容器１、液体またはその両方を直接加熱する構成でもよい。１１、１２は温度センサであり、加熱手段１０の制御に用いられる。
【００３９】
蓋１３は本体１の容器２の上部を覆うように構成している。実施の形態では本体１の上部にヒンジ部１９により開閉自在に取付けられている。
【００４０】
仕切り板１４は、頂部に排泡弁１５を有し、容器２内に配置して加熱手段１０および出水孔７のある側とない側とに仕切る。実施の形態では周縁部が容器２の底面に例えば隙間を設けて載置され、出水孔７の上方を排泡弁１５のある頂部とする冠状をなしている。また仕切り板１４により温度センサ１１、１２も容器２内で仕切られている。温度センサ１１で仕切り板１４内の温度を検出し、温度センサ１２で仕切り板１４の外の容器１内の温度を検出する。排泡弁１５は仕切り板１４の内側の頂部の集まる泡の浮力で押し上げられて開き、湯は出さずに仕切り板１４の下側の泡のみを容器１側に出す作用をする。１６は活性炭フィルタであり、仕切り板１４の内面に設けている。
【００４１】
送水装置１７は、出水孔７より容器２内の液体を送り出すダイヤフラム式の液体ポンプを用いている。実施の形態では、ダイヤフラム式の液体ポンプの吸入口を出水孔７に配管３２により接続し、吐出口を飲料固定部１８に抽出するためのインジェクタ６に配管３０により接続している。インジェクタ６はスタートボタン５の下側に垂直下方に向けて本体１に上下移動可能に配設し、スタートボタン５の押し動作に連動してインジェクタ６が下方に移動するようにしている。したがって、スタートボタン５を押すと、インジェクタ６が下がるとともに、スタートボンタ５が下がる動作を検出手段（図示せず）で検出し、制御回路の制御で送水装置１７が動作を開始し、お湯をインジェクタ６に送るようにしている。また送水装置１７とインジェクタ６との間に圧力が一定以上になると外部に逃す圧力弁２１を介在している。圧力弁２１は湯の圧力が一定以上になると湯の圧力を容器２内に解放するように配管３１を圧力弁２１の解放口と容器１との間に接続している。
【００４２】
さらに、この実施の形態では、空気を飲料パック２０または飲料粉末に圧送する空気ポンプからなる送気装置２８を有する。この送気装置２８は吐出部を送水装置１７とインジェクタ６との間に逆止弁２２を介して配管３３により接続している。また送気装置２８は送水装置１７に連動して飲料パック２０に供給されるように制御されるが、飲料パックを空気で開封することができるものに対しては送気装置２８を利用することもできる。
【００４３】
飲料固定部１８は、送水装置１７より送り出された液体により抽出される飲料パック２０または飲料粉末を設置する。実施の形態の飲料固定部１８は、飲料パック２０をその下端部が下方に露出するように収納保持する保持体であり、飲料固定部１８の下端部が過圧力に対して着脱可能な軸により本体１に回動自在に取付けられ、上端部が本体１に接近する閉じた垂直姿勢の位置と本体１から離れた開いた傾斜姿勢の位置との間を回動可能に取付けられている。開いた位置では飲料パック２０を着脱でき、閉じた位置では飲料パック２０のノズルがインジェクタ６に対向する。飲料固定部１８を本体１に対して着脱可能にしているのは、開いた状態で強い力が加わったときに破損することなく外れることができるようにするためである。
【００４４】
したがって、スタートボタン５を押すとインジェクタ６が下がり飲料パック２０のノズルを突き破り、つぎにスタートボタン５が最下位となる位置を検出手段により検出して制御回路により送水装置１７が動作し、お湯がインジェクタ６より飲料パック２０内に注湯される。
【００４５】
２３はフィルタであり、出水孔７を覆うものであるが、フィルタ２３のメッシュの開口面積の大きさを送水装置１７の流水経路の最小径よりも小さくしている。
【００４６】
２４は飲料固定部１６の下方で本体１に着脱自在に設けた受皿、２５はコーヒーを受けるコーヒーコップ、２６は電源コードである。
【００４７】
つぎに、送水装置１７と送気装置２８の流通経路について説明する。上記したように、スタートボタン５が手動で押されるとインジェクタ６が下がり飲料パック２０のノズルを突き破る。続いて送水装置１７が作動し出水孔７よりお湯を吸湯しインジェクタ６を通して飲料パック２０内に給湯される。飲料パック２０内がある圧力になると感温シールまたは感圧シールが剥がれ飲料パック２０の下方が開いてコーヒーがカップに注がれる。このとき逆止弁２２のため送気装置２８に湯が流れ込むことはない。またインジェクタ６側が一定以上の高い圧力になると圧力弁２１が動作して容器１内に湯を逃がしインジェクタ６側を減圧する。
【００４８】
つぎに送水装置１７で一定量（例えばコーヒーを飲料するのに必要な量）送水すると送水装置１７が停止し、続いて送気装置２８が動作し、逆止弁２２および圧力弁２１を介してインジェクタ６より飲料パック２０内に空気が送られ、しずくがなくなるまで内部の液体をカップに押し出す。
【００４９】
図２から図４は、送水装置１７である液体ポンプを示す。液体ポンプは、モータ４０の回転軸４１に往復変換機構４２を連結している。往復変換機構４２は、回転軸４１に取付けられたピニオンギヤ４３と、モータ４０を外底面に取付ける筒状の取付台４４内に軸支され、取付台４４を貫通したピニオンギヤ４３に噛合する歯を有する減速装置付きのクランク体４５と、このクランク体４５の偏心位置に設けられた駆動軸４６と、この駆動軸４６の先端に嵌合する軸受け４７を有する往復変換子である例えば茸形のクラッシャ４８からなっている。
【００５０】
平板状のバルブハウジング４９が、取付台４４に有底シリンダ５０を介して取付けられ、複数例えば３個の相互に一体に形成されたダイヤフラム５１の周縁部をバルブハウジング４９に密着するようにシリンダ５０の底部との間に挟持してダイヤフラム５１ごとに圧力室５１ａを形成している。バルブハウジング４９は複数のダイヤフラム５１の中間位置に圧力室５１ａの各々が連通する吐出筒部５３を形成している。この吐出筒部５３内に弾性により密接嵌合する筒状の吐出弁５４をダイヤフラム５１に一体形成し、その先端に３個の割りスリット７０を付けて独立した吐出弁部５４ａ〜５４ｃを形成し、各吐出弁部５４ａ〜５４ｃを吐出筒部５３の内面に密着し、各吐出弁部５４ａ〜５４ｃで３つのダイヤフラム５１の圧力室５１ａから吐出筒部５３に連通するように凹設した連通部６０ａ〜６０ｃをそれぞれ閉じ、逆圧すなわち吐出圧によって開弁するようにしている。
【００５１】
複数のダイヤフラム５１は往復作動部５１ｂが往復変換機構４２のクラッシャ４８の屋根部に連結され、クラッシャ４８の回動により往復作動部５１ｂが往復動作する。また吸入弁５６にアンブレラ弁を用い、バルブハウジング４９の各ダイヤフラム５１に対応して複数の小孔により形成した吸入孔７１の孔縁に弾性により密接して吸入孔７１を閉弁し、逆圧すなわち吸入時の負圧によって開弁するようにしている。この場合、液体ポンプのダイヤフラム５１およびその吸入・吐出弁５６、５４の少なくともいずれかには、従来のクロロプレンゴムに代えて水素化ニトリルゴムを用いて製造している。バルブハウジング４９のダイヤフラム５１と反対側はガスケット６２を介してシール板６３が取付けられ、シール板６３には吸入孔７１に連通する吸入筒部６４を有するとともに吐出筒部５３をＯリング６５を介して貫通させる孔６６を形成している。バルブハウジング４９、シリンダ５０およびシール板６３の材料はＰＰ樹脂に代えてＰＰＳ樹脂を用いている。６７はハウジング押えであり、ねじ等の取付具を通して、シール板６３、バルブハウジング４９およびシリンダ５０を取付台４４に固定している。
【００５２】
したがって、モータ４０が動作すると駆動軸４６およびクラッシャ４８がすりこぎ運動し、それに伴って各ダイヤフラム５１が順次膨張圧縮の動作を繰り返す往復運動を行なう。その結果、各ダイヤフラム５１は膨張時に負圧作用で吸入弁５６が開きかつ吐出弁５４ａ〜５４ｃのいずれかが閉じて吸入筒部６４からダイヤフラム５１内に液体を吸入する。まだダイヤフラム５１の圧縮時には圧力作用により吸入弁５６が閉じ吐出弁５４ａ〜５４ｃのいずれかが押されて開き、吐出筒部５３より外部に圧送される。モータ４０の動作により往復変換機構４２が連続して動作するので液体が吸入筒部６４から吸入され吐出筒部５３から吐出するポンプ動作となる。
【００５３】
また送水装置１７はダイヤフラム５１の水漏れシール６０を有し、これは周縁部が取付台４４とシリンダ５０との間に密接挟持され、中央部の孔がクラッシャ４８の客部に密着嵌合している。これにより、ダイヤフラム５１側から液体が漏れてもモータ４０側に液体が進入することを防止できる。
【００５４】
このように、液体ポンプは吐出筒部５３を有し、液体ポンプの吐出弁５４は吐出筒部５３の内周面に弾性的に密接する筒状をなし、吐出筒部５３に吐出弁５４を介して吐出筒部５３内とダイヤフラム５１内とを連通する連通部６０ａ〜６０ｃを形成し、この連通部６０ａ〜６０ｃをダイヤフラム５１の数に応じて複数設け、筒状の吐出弁５４に連通部６０ａ〜６０ｃごとに区切る割りスリット７０を形成しているため、複数のダイヤフラム５１が個別に圧縮膨張しても吐出弁５４が個別に設けられているので、他のダイヤフラムの動作に悪影響を与えることなく吐出できる。筒状の吐出弁に割りスリットのない場合、１つの吐出動作時に全体が弾性変形して他の吐出動作でないダイヤフラムの吐出弁部が開くことが起こりやすかった。
【００５５】
図３はバルブハウジング４９を図２のＡ−Ａ線で断面したものであり、吐出筒部５３の内側に割りスリット７０のある吐出弁５４が密接し、その周囲に吸入孔７１がダイヤフラム５１に応じて形成れていることがわかる。
【００５６】
図４はダイヤフラム５１を示し、３つのダイヤフラム５１を一体部５１ｃで一定に形成するとともに、中央部にダイヤフラム５１の往復作動部５１ｂと反対向きに柱状部５１ｄを設け、柱状部５１ｄ上に延長して、割りスリット７０の付いた筒状の吐出弁５４を形成している。
【００５７】
送気装置２８もダイヤフラム式であり、図２から図４と比較して例えばピニオンギヤ４３、ガスケット６２および水漏れシール６０がない点等が異なるがその他は類似する。
【００５８】
なお、実施の形態では仕切り板１４を設けたが、本発明では仕切り板１４のないものに適用することができる。
【００５９】
また圧力弁２１は容器１内に解放したが容器１以外に解放する構成でもよい。
【００６０】
飲料固定部１８は飲料パック２０を設置したが飲料粉末を設置するものでもよい。
【産業上の利用可能性】
【００６１】
本発明にかかる飲料抽出機は、２０〜３０名程度の小オフィス用または一般家庭用に適した小型コンパクトにすることが可能となるという効果を有し、コーヒーまたは紅茶の抽出器等として有用である。
【図面の簡単な説明】
【００６２】
【図１】この発明の第１の実施の形態の概略断面図である。
【図２】送水装置である液体ポンプの断面図である。
【図３】図２のＡ−Ａ線断面図である。
【図４】ダイヤフラムを示し、（ａ）平面図、（ｂ）は半断面側面図である。
【図５】飲料パックを示し、（ａ）は正面図、（ｂ）は両側を破断した状態の斜視図である。
【図６】従来例の流通経路の斜視図である。
【図７】従来例のチューブポンプの動作を説明する説明図である。
【符号の説明】
【００６３】
１    本体
２    容器
５    スタートボタン
６    インジェクタ
７    出水孔
１０    加熱手段
１１、１２    温度センサ
１３    蓋
１４    仕切り板
１５    排泡弁
１７    送水装置
１８    飲料固定部
２０    飲料パック
２１    圧力弁
２２    逆止弁
２３    フィルタ
２８    送気装置
４０    モータ
４１    回転軸
４２    往復変換機構
５１    ダイヤフラム
５４    吐出弁
５６    吸入弁
６０    水漏れシール
７０    割りスリット
【図１】
2008178724.tif 000003
【図２】
2008178724.tif 000004
【図３】
2008178724.tif 000005
【図４】
2008178724.tif 000006
【図５】
2008178724.tif 000007
【図６】
2008178724.tif 000008
【図７】
2008178724.tif 000009